(57)【要約】【課題】  部品の共通化によりカメラ用ズームファインダ装置を低コストで提供する。【解決手段】  カム板２８の下面には、連動ピン１５ａと係合するカム溝２８ａ，２８ｂが形成されている。このカム溝２８ａ，２８ｂは、光軸方向の寸法はＬで共通であるが、横方向の寸法すなわちカム板２８の駆動幅は異なり、それぞれＷ１，Ｗ２（Ｗ１＜Ｗ２）である。このため、連動ピン１５ａの移動により、カム溝２８ａ、 ２８ｂのカム面が押圧され、カム板２８が横方向にＷ１またはＷ２の範囲内（Ｗ端とＴ端の間）で駆動される。カム板２８の駆動幅をＷ１に設定する場合は、カム溝２８ａに連動ピン１５ａを係合させてカム板２８を用いる。また、カム板２８の駆動幅をＷ２に設定する場合は、カム溝２８ｂに連動ピン１５ａを係合させてカム板２８を用いる。【選択図】        図５
2005189329.tif 000002
【特許請求の範囲】
【請求項１】
ファインダ変倍レンズを含むファインダ光学系と、撮影レンズの変倍に連動して移動する連動ピンに係合する第１カム及び前記ファインダ変倍レンズに固着されたカムフォロアに係合する第２カムが形成されたカム部材とを備え、撮影レンズの変倍による連動ピンの移動により第１カムの軌跡に応じてカム部材を移動させたときに第２カムの軌跡に応じてファインダ変倍レンズを移動してファインダ倍率を変更するカメラ用ズームファインダ装置において、
前記カム部材に、変倍諸元が異なる複数種類の撮影レンズに対応して互いに軌跡が異なる複数種類の第１カムが形成され、これらの第１カムの中から選択された１つに前記連動ピンを係合させたことを特徴とするカメラ用ズームファインダ装置。
【請求項２】
前記ファインダ光学系は変倍時に互いに異なる移動量で移動する２種類のファインダ変倍レンズを含む実像式ファインダ光学系で構成され、前記カム部材には前記２種類のファインダ変倍レンズの各々に固着されたカムフォロアに係合する２種類の第１カムが形成されていることを特徴とする請求項１記載のカメラ用ズームファインダ装置。
【請求項３】
前記カム部材は、第１カムを構成する第１カム溝と第２カムを構成する第２カム溝が形成されたカム板であり、前記第１カム溝には撮影レンズの変倍時に光軸方向に移動する連動ピンがカム板の底面側から係合してカム板を光軸と直交して移動させ、前記第２カム溝にはファインダ変倍レンズに固着したカムフォロアがカム板の上面側から係合していることを特徴とする請求項１又は２記載のカメラ用ズームファインダ装置。
【発明の詳細な説明】
【技術分野】
【０００１】
本発明は、レンズ鏡筒の繰出・繰込動作に連動してファインダ光学系の倍率を変化させるカメラ用ズームファインダ装置に関するものである。
【背景技術】
【０００２】
近年、携帯性に優れた小型カメラが普及している。このような普及型の小型カメラでは、撮影レンズを保持するレンズ鏡筒をカメラ本体内に収納可能にすることでカメラ本体の小型化を実現している。このようなカメラでは、レンズ鏡筒の繰出動作、及び繰込動作による撮影画角の拡大・縮小に伴って、ファインダの視野範囲を適宜調整する必要があり、レンズ鏡筒の上部にファインダの視野範囲を調整可能なファインダ装置が設けられている。
【０００３】
このようなカメラとしては、レンズ鏡筒の繰出動作・繰込動作に連動して移動する連動ピンと、この連動ピンと係合するカム溝が形成され連動ピンの移動により駆動するカム板とを設け、このカム板の駆動により、ファインダ装置に設けられた移動レンズを光軸方向に移動させてファインダ光学系の倍率を変化させる技術が知られている（例えば、特許文献１）。
【０００４】
【特許文献１】特開平９−２１１５５４号公報
【発明の開示】
【発明が解決しようとする課題】
【０００５】
しかしながら、前述の特許文献１のカメラでは、連動ピンと係合するカム溝がカム板に１本しか形成されていない。このため、レンズ鏡筒の繰出動作・繰込動作に連動して一定の駆動幅でしかカム板を駆動することが出来ない。このため、撮影レンズの焦点距離が異なる鏡筒を用いた場合には、焦点距離に合わせたファインダ光学系とそれに対応するカム板を専用に設計する必要があり、開発工数と部品コストがかかるため、製造コストが高くなるという問題があった。
【０００６】
本発明は、上記問題点を解決するためのものであり、撮影レンズの焦点距離が異なるカメラで部品の共通化を行うことが可能なカメラ用ズームファインダ装置を提供することを目的とする。
【課題を解決するための手段】
【０００７】
上記問題点を解決するために、本発明のカメラ用ズームファインダ装置は、ファインダ変倍レンズを含むファインダ光学系と、撮影レンズの変倍に連動して移動する連動ピンに係合する第１カム及び前記ファインダ変倍レンズに固着されたカムフォロアに係合する第２カムが形成されたカム部材とを備え、撮影レンズの変倍による連動ピンの移動により第１カムの軌跡に応じてカム部材を移動させたときに第２カムの軌跡に応じてファインダ変倍レンズを移動してファインダ倍率を変更するカメラ用ズームファインダ装置であり、カム部材に、変倍諸元が異なる複数種類の撮影レンズに対応して互いに軌跡が異なる複数種類の第１カムが形成され、これらの第１カムの中から選択された１つに連動ピンを係合させたことを特徴とするものであり、変倍諸元が異なる撮影レンズを有する複数のカメラとの間で、カム部材を共用することが可能でる。
【０００８】
また、前述のファインダ光学系は変倍時に互いに異なる移動量で移動する２種類のファインダ変倍レンズを含む実像式ファインダ光学系で構成され、カム部材には２種類のファインダ変倍レンズの各々に固着されたカムフォロアに係合する２種類の第１カムが形成されていることを特徴とするものである。
【０００９】
さらに、前述のカム部材は、第１カムを構成する第１カム溝と第２カムを構成する第２カム溝が形成されたカム板であり、第１カム溝には撮影レンズの変倍時に光軸方向に移動する連動ピンがカム板の底面側から係合してカム板を光軸と直交して移動させ、第２カム溝にはファインダ変倍レンズに固着したカムフォロアがカム板の上面側から係合していることを特徴とするものであり、カム板を薄型化することができる。
【発明の効果】
【００１０】
本発明のカメラ用ズームファインダ装置は、撮影レンズの焦点距離が異なるレンズ鏡筒に対して、ズームファインダの駆動用のカム板を共用できるようにしたので、開発期間を短縮すると共に、部品コストを低減することができるので、製造コストを低減することができる。
【発明を実施するための最良の形態】
【００１１】
図１は、本発明のカメラ用ズームファインダ装置を適用したカメラ１０の外観斜視図であり、図２は、カメラ１０の内部構成の概要を示す分解斜視図である。カメラ１０は、各種撮影機構が組み込まれるカメラ本体１１と、このカメラ本体１１の前面及び背面を覆う前カバー１２及び後カバー１３とから構成される。
【００１２】
カメラ１０の前面中央には、撮影レンズ１４を保持するレンズ鏡筒１５が配置されている。レンズ鏡筒１５内には、ズーム光学系を構成する撮影レンズ１４と、電子シャッタとが組み込まれている。このレンズ鏡筒１５は、背面に設けられた電源スイッチ（図示せず）がオンされると、カメラ１０の前面に突出され、電源スイッチがオフされるとカメラ１０内に沈胴される。また、ズームボタン１６の操作に応じて突出量が変化して、焦点距離が変化する。
【００１３】
カメラ１０の上面には、ズームボタン１６、シャッタボタン１７、各種情報が表示される液晶パネル１８，各種設定を行う設定スイッチ１９等が設けられ、また背面には、接眼側ファインダ窓、電源スイッチ等が設けられている。前カバー１２の上方には、その曲面形状に倣うように湾曲したカバープレート２０、２１、２２が組み付けられている。カバープレート２０、２１、２２は、後述するファインダユニット２３に組み込まれている各種レンズ、及び素子等の前面を覆い、これらを汚れや衝撃から保護している。前カバー１２の右上方部には、ストロボ発光窓２４が設けられている。カメラ１０の下面には、フイルムカートリッジを装填する際に開放される底蓋２５が開閉自在に取り付けられている。
【００１４】
カメラ本体１１は、レンズ鏡筒１５や、ファインダユニット２３、フイルム巻き上げ機構、及びストロボ機構などの各種撮影機構が本体基部２５に組み付けられている。ファインダユニット２３は、レンズ鏡筒１５が本体基部２５に取り付けられた後にレンズ鏡筒１５の上部に配置されるように取り付けられる。
【００１５】
レンズ鏡筒１５は、固定筒２６の内部に収容されており、固定筒２６に対してレンズ鏡筒１５が繰出動作及び繰込（沈胴）動作を行うズームレンズ機構が組み込まれている。このレンズ鏡筒１５の繰出・繰込動作は、ズームレンズ機構の駆動源となるモータと、そのモータの駆動をレンズ鏡筒１５に伝達するために組み込まれた歯車列により行われる。
【００１６】
この固定筒２６の上面には、ガイド溝２６ａが形成されており、レンズ鏡筒１５に設けられた連動ピン１５ａがガイド溝２６ａから露呈している。連動ピン１５ａは、レンズ鏡筒１５の繰り出し及び繰込みに応じて、ガイド溝２６ａに沿って直進移動する。さらに、この固定筒２６の上面には、ガイド枠２６ｂが形成されており、このガイド枠２６ｂの内側に左右方向にガイド溝２６ｃが形成されている。カム板２８の下面には２つの突起４３ａ，４３ｂが一体に形成されており、ガイド溝２６ｃがこれらの突起４３ａ，４３ｂと係合して、ガイド枠２６内でカム板２８を横方向にスライド自在にガイドする。このカム板２８が、後述するズームファインダ装置２９を駆動する。
【００１７】
ファインダユニット２３はＡＢＳ樹脂等により成形されたユニット支持部材３０に、ズームファインダ装置２９が組み込まれたファインダケース３１、測光用受光素子３２、赤目防止用ランプ３３、測距用の投・受光レンズ３４，３５等が組み込まれてユニットの状態となっている。また、ユニット支持部材３０には、多数のネジ穴３６が形成されており、本体基部２５の上面に形成されたボス２７に、ネジ３７でネジ止めされて、ファインダユニット２３が本体基部２５に組み付けられる。
【００１８】
ズームファインダ装置２９は、図３に示すように、ファインダケース３１と、接眼レンズ４０と、移動レンズ４１，４２と、カム板２８とで構成されている。ファインダケース３１の光軸方向の後方側には、接眼レンズ４０が嵌め込まれており、前方側には、移動レンズ４１，４２を収納するレンズ収納部４４が設けられている。このレンズ収納部４４の前面には、ファインダ対物窓４４ａが設けられており、上面にはガイド溝４４ｂが形成されている。このガイド溝４４ｂは、後述する移動レンズ４１，４２のガイド突起と係合して、移動レンズ４１，４２の光軸方向の移動をガイドする。また、このレンズ収納部４４には、ガイド軸４５が嵌め込まれる２つの嵌合穴４４ｃが設けられている。
【００１９】
移動レンズ４１，４２は、レンズ本体４１ａ，４２ａと、レンズ本体の上部に形成されたガイド突起４１ｂ，４２ｂと、レンズ本体４１ａ，４２ａから下方に延びた連結部４１ｃ，４２ｃと、この連結部４１ｃ，４２ｃの先端に形成されたガイド筒４１ｄ，４２ｄと、このガイド筒４１ｄ，４２ｄから下方に延びたカムピン４１ｅ，４２ｅとが一体に形成されている。ガイド筒４１ｄ，４２ｄには、ガイド軸４５が挿通され、このガイド軸４５と前述のガイド溝４４ｂによって、移動レンズ４１，４２の光軸方向の移動がガイドされる。
【００２０】
また、ガイド筒４１ｄ，４２ｄには、バネ４６が引っ掛けられるピン４１ｇ，４２ｇが一体に形成されており、バネ４６の一端が４１ｇに掛けられ、他端が４２ｇに掛けられることにより、後述するカム板２８のカム溝の壁面とカムピン４１ｅ，４２ｅとが常に当接するように付勢される。
【００２１】
図４は、カム板２８の平面図であり、図４（Ａ）が上面、図４（Ｂ）が下面をを示している。カム板２８の下面には、前述した連動ピン１５ａと係合するカム溝２８ａ，２８ｂが形成されている。このカム溝２８ａ，２８ｂは、それぞれのリード角が異なり、光軸方向の寸法はＬで共通であるが、横方向の寸法すなわちカム板２８の駆動幅は異なる。駆動幅は、それぞれＷ１，Ｗ２（Ｗ１＜Ｗ２）である。このため、連動ピン１５ａの移動に伴い、カム溝２８ａ、 ２８ｂのカム面が押圧されて、カム板２８が横方向にＷ１またはＷ２の範囲内で駆動される。すなわち、カム板２８の駆動幅をＷ１に設定する場合は、カム溝２８ａに連動ピン１５ａを係合させてカム板２８を用いる。また、カム板２８の駆動幅をＷ２に設定する場合は、カム溝２８ｂに連動ピン１５ａを係合させてカム板２８を用いる。
【００２２】
このカム板２８の上面には、移動レンズ４１，４２のカムピン４１ｅ，４２ｅと係合するカム溝２８ｃ，２８ｄが設けられており、移動レンズ４１のカムピン４１ｅがカム溝２８ｃと係合し、移動レンズ４２のカムピン４２ｅがカム溝２８ｄと係合する。また、移動レンズ４１，４２は、バネ４６により付勢されているので、カムピン４１ｅ，４２ｅは、カム溝２８ｃ，２８ｄのカム面に常に当接するようにされており、カム板２８が連動ピン１５ａによりガイド枠２６ｂ内で左右方向に駆動した時に、移動レンズ４１，４２のカムピン４１ｅ，４２ｅがカム溝２８ｃ，２８ｄのカム面を挟み込むように摺接しながら移動して、２つの移動レンズ４１，４２の間隔が変化をする。これにより、レンズ鏡筒１５の変倍動作（繰出・繰込動作）に連動して、ファインダ光学系の倍率が変化する。
【００２３】
カム板２８の駆動幅Ｗ１，Ｗ２は、レンズ鏡筒１５の撮影レンズ１４の焦点距離範囲に基づいて、ファインダ光学系のズーム倍率に対応するように選択される。例えば、焦点距離範囲が３８ｍｍ〜１６０ｍｍの時は、駆動幅Ｗ１のカム溝２８ａを選択して連動ピン１５ａと係合させ、焦点距離範囲が２４ｍｍ〜１６０ｍｍの時は、駆動幅Ｗ２のカム溝２８ｂを選択して連動ピン１５ａと係合させれば良い。
【００２４】
次に、上記構成の作用について説明する。図５（Ａ）は、連動ピン１５ａをカム溝２８ａに係合させて用いた場合のカム板２８の動作を示す図である。レンズ鏡筒１５がＷ（ワイド）端とＴ（テレ）端との間で光軸方向に移動した時に、連動ピン１５ａは、このレンズ鏡筒１５と連動して光軸方向に移動する。この時、連動ピン１５ａは、カム溝２８ａのカム面を押圧しながら距離Ｌの範囲内で直進移動する。これにより、カム板２８は連動ピン１５ａにより押圧されて図中左右方向に距離Ｗ１の範囲内で移動する。このカム板２８の駆動により、カム溝２８ｃ，２８ｄのカム面がカムピン４１ｅ，４２ｅを押圧して、図中Ｗ端と図中Ｔ端との間で移動して、移動レンズ４１，４２の間隔が変化してファインダ光学系の倍率が変化する。つまり、撮影レンズ１４の焦点距離範囲に基づいて、ファインダ光学系の倍率範囲を実現するためのカムピン４１ｅ，４２e の横方向の移動範囲がＷ１の場合にはカム溝２８ａが選択され、連動ピン１５ａとカム溝２８ａを係合させてカム板２８を用いる。
【００２５】
図５（Ｂ）は、連動ピン１５ａをカム溝２８ｂに係合させて用いた場合のズームファインダ装置２９の動作を示す図である。レンズ鏡筒１５がＷ（ワイド）端とＴ（テレ）端との間で光軸方向に移動した時に、図５（Ａ）の場合と同様に、連動ピン１５ａは、このレンズ鏡筒１５と連動して光軸方向に移動する。この時、連動ピン１５ａはカム溝２８ｂのカム面を押圧しながら距離Ｌの範囲内で直進移動する。これにより、カム板２８は連動ピン１５ａにより押圧されて図中左右方向に距離Ｗ２の範囲内で移動する。このカム板２８の駆動により、カム溝２８ｃ，２８ｄのカム面がカムピン４１ｅ，４２ｅを押圧して、図中Ｗ端と図中Ｔ端との間で移動する。これにより、移動レンズ４１，４２の間隔が変化してファインダ光学系の倍率が変化する。この場合、Ｗ端の位置はカム溝２８ｃ，２８ｄの最右端となり、図５（Ａ）の場合と比べてＷ端側に移動レンズ４１，４２の移動幅が広くなっており、焦点距離範囲がＷ（ワイド）端側に広い撮影レンズに使用される。つまり、撮影レンズ１４の焦点距離範囲に基づいて、ファインダ光学系の倍率範囲を実現するためのカムピン４１ｅ，４２e の横方向の移動範囲がＷ２の場合にはカム溝２８ｂが選択され、連動ピン１５ａとカム溝２８ｂを係合させてカム板２８を用いる。
【００２６】
このように、レンズ鏡筒に組み込まれる撮影レンズの焦点距離範囲に対応させて、２つのカム溝２８ａ，２８ｂを使い分けるようにしたので、撮影レンズの焦点距離範囲の異なるカメラに対して、カム板２８を共用することができる。このため、撮影レンズの焦点距離範囲の異なるカメラを開発する場合に、新たにカム板２８を専用設計する必要がないので開発コストを低減できる。また、カム板２８を共用することができるため、部品コストを低減することができる。さらに、カム板２８のみでなく、ファインダユニット２３を構成する他の部品を共用することが可能であり、ファインダユニット２３全体を共用することも可能である。
【００２７】
なお、本実施形態において、Ｗ（ワイド）端側の移動範囲が異なる２つのカム溝を形成したが、これに限るものではなく、Ｔ（テレ）端側の移動範囲が異なるようにしても良いし、Ｗ（ワイド）端側、及びＴ（テレ）端側の両方の移動範囲が異なるようにしても良い。また、本実施形態においては、レンズ鏡筒の連動ピンと係合するカム溝をカム板に２本形成したが、これに限るものではなく３本以上形成しても良い。この場合は、より多くのカメラとカム板を共用することができるため、部品のコストをさらに低減することができる。また、撮影レンズを交換可能なカメラに、このカム板を使用するようにしても良い。この場合は、撮影レンズ交換後に、連動ピンと係合するカム溝を変更すれば良い。
【００２８】
さらに、本実施形態においては、平板状のカム板を用いて説明を行ったが、これに限るものではなく、円弧状に平板を湾曲させたカム板を使用しても良い。この場合は、固定筒の外径と略一致するようにカム板を円弧状に湾曲させ、固定筒の外周面上をカム板がスライドするように構成すれば良い。
【００２９】
また、本実施形態においては、移動レンズを付勢するためにバネを用いたが、バネを使用しなくても良い。
【図面の簡単な説明】
【００３０】
【図１】カメラ用ズームファインダ装置を適用したカメラの外観斜視図である。
【図２】カメラ本体の構成の概要を示す分解斜視図である。
【図３】ズームファインダ装置の分解斜視図である。
【図４】カム板の上面と下面を示す平面図である。
【図５】カム板の動作を示す説明図である。
【符号の説明】
【００３１】
１０  カメラ
１４  撮影レンズ
１５  レンズ鏡筒
１５ａ  連動ピン
２６  固定筒
２６ａ，２６ｃ  ガイド溝
２６ｂ  ガイド枠
２８  カム板
２８ａ，２８ｂ，２８ｃ，２８ｄ  カム溝
２９  ズームファインダ装置
３１  ファインダケース
４１，４２  移動レンズ
４１ｅ，４２ｅ  カムピン
４３ａ，４３ｂ  突起
【図１】
2005189329.tif 000003
【図２】
2005189329.tif 000004
【図３】
2005189329.tif 000005
【図４】
2005189329.tif 000006
【図５】
2005189329.tif 000007